(57)【特許請求の範囲】
【請求項１】
光学活性脂環式ジアミン誘導体と、脂肪族カルボン酸及び芳香族カルボン酸から選ばれるカルボン酸誘導体とを含有するものであって、電子吸引基共役-α,β位-不飽和化合物とそのβ位に付加する活性メチレン基含有化合物又は活性メチン基含有化合物との不斉反応を誘起することを特徴とする不斉反応触媒。
【請求項２】
前記光学活性脂環式ジアミン誘導体が、trans-１,２-ジアミノシクロアルカンであり、前記カルボン酸誘導体が、鎖状若しくは環状で脂肪族モノカルボン酸若しくは脂肪族ポリカルボン酸からなる前記脂肪族カルボン酸であり、又は炭化水素芳香環含有でモノカルボン酸若しくはポリカルボン酸からなる前記芳香族カルボン酸であることを特徴とする請求項１に記載の不斉反応触媒。
【請求項３】
前記光学活性脂環式ジアミン誘導体と前記カルボン酸誘導体とが、モル比で、１：３〜２：１であることを特徴とする請求項１に記載の不斉反応触媒。
【請求項４】
光学活性脂環式ジアミン誘導体と、脂肪族カルボン酸及び芳香族カルボン酸から選ばれるカルボン酸誘導体とを含有する触媒の存在下で、電子吸引基共役-α,β位-不飽和化合物のβ位に、活性メチレン基含有化合物又は活性メチン基含有化合物の活性基を、マイケル反応させて、そこに不斉誘導して、光学活性マイケル反応付加化合物にすることを特徴とする不斉合成方法。
【請求項５】
前記電子吸引基共役-α,β位-不飽和化合物がα'位-活性水素基含有ケトン化合物であり、前記活性メチレン基含有化合物又は前記活性メチン基含有化合物がカルボニル化合物であり、前記付加化合物を、前記ケトン化合物に由来のα'位-活性水素基と前記カルボニル化合物のカルボニル基との分子内アルドール反応により、環化させて、γ位-不斉シクロヘキセノン化合物にすることを特徴とする請求項４に記載の不斉合成方法。
【発明の詳細な説明】
【技術分野】
【０００１】
本発明は、α,β位-不飽和化合物のβ位にマイケル反応して新たに形成されるγ位を不斉誘起する不斉反応触媒、及びそれを用いた不斉合成方法に関するものである。
【背景技術】
【０００２】
活性メチレン基又は活性メチン基含有化合物である１,３-シクロアルカンジオン類とメチルビニルケトン類とのマイケル(Michael)反応、それに引き続く分子内アルドール環化反応を行うような所謂ロビンソン(Robinson)環化反応は、しばしばステロイドやテルペン類の基本骨格合成に利用されている。
【０００３】
ロビンソン環化反応の中でも、光学活性プロリン存在下で光学活性の２環性-α,β-不飽和エノン化合物を不斉合成するという不斉ロビンソン環化反応(Hajos-Parrish-Eder-Sauer-Wiechert反応)は、下記化学反応式（１）に示す通り、高い光学収率で進行することが知られている。
【０００４】
【化１】
0005392614.tif 000002
【０００５】
この化学反応式（１）の不斉ロビンソン環化反応は、反応遷移状態において、カルボニル基へ結合している不斉反応触媒である光学活性プロリンが、分子内アルドール環化反応する際に形成される立体障害のある２環性縮合環の橋頭炭素原子を不斉制御する結果、比較的容易に不斉誘起を起こすものである。
【０００６】
一方、非特許文献１に、下記化学反応式（２）で示すように立体障害の大きな光学活性プロリン誘導体を触媒に用い、反応遷移状態で触媒と相互作用し易いβ位で、不斉誘起した単環性の不飽和エノン化合物を、高い光学収率で合成する発明が、開示されている。
【０００７】
【化２】
0005392614.tif 000003
【０００８】
しかし、公知の不斉触媒を用いても、鎖状のメチルビニルケトン化合物のβ位へのマイケル反応によって、新たに形成されるγ位に不斉を誘起するのは、その化合物のβ位の立体障害が小さい所為で、極めて困難である。ましてや光学活性プロリン誘導体を触媒に用いてそのマイケル反応とアルドール反応とを行って不飽和エノン化合物のγ位炭素原子上、とりわけ単環性のシクロヘキセノン化合物のγ位炭素原子上でロビンソン環化反応を行っても、反応遷移状態でカルボニル基に相互作用する触媒までの距離が遠過ぎる所為で、γ位での不斉誘起を起こし難い。
【０００９】
また、面倒な多工程を要して調製しなければならない立体障害の大きな光学活性プロリン誘導体のような複雑な構造を有する化合物を用いなくとも、安価に入手容易な低分子有機化合物を用いて、立体選択的・位置選択的に、不斉誘起でき、有毒な重金属を含まず安全であって、簡易な構造の不斉合成触媒が、求められている。
【先行技術文献】
【非特許文献】
【００１０】
【非特許文献１】A.Carlone（エー.カーロン）ら、Chemical  Communications  （ケミカル  コミュニケーションズ）、2006年、p.4928-4930
【発明の概要】
【発明が解決しようとする課題】
【００１１】
本発明は前記の課題を解決するためになされたもので、入手容易で安価な低分子有機化合物からなり、高い立体選択性と位置選択性とを発揮し、優れた不斉誘起能を有し、高い光学収率と反応収率とを発現でき、不斉マイケル反応やそれに引き続くアルドール環化反応に用いられるもので有機物からなる不斉反応触媒、及びそれを用いた不斉合成方法を提供することを目的とする。
【課題を解決するための手段】
【００１２】
前記の目的を達成するためになされた特許請求の範囲の請求項１に記載の不斉反応触媒は、光学活性脂環式ジアミン誘導体と、脂肪族カルボン酸及び芳香族カルボン酸から選ばれるカルボン酸誘導体とを含有するものであって、電子吸引基共役-α,β位-不飽和化合物とそのβ位に付加する活性メチレン基含有化合物又は活性メチン基含有化合物との不斉反応を誘起することを特徴とする。
【００１３】
請求項２に記載の不斉反応触媒は、請求項１に記載されたもので、前記光学活性脂環式ジアミン誘導体が、trans-１,２-ジアミノシクロアルカンであり、前記カルボン酸誘導体が、鎖状若しくは環状で脂肪族モノカルボン酸若しくは脂肪族ポリカルボン酸からなる前記脂肪族カルボン酸であり、又は炭化水素芳香環含有でモノカルボン酸若しくはポリカルボン酸からなる前記芳香族カルボン酸であることを特徴とする。
【００１４】
請求項３に記載の不斉反応触媒は、請求項１に記載されたもので、前記光学活性脂環式ジアミン誘導体と前記カルボン酸誘導体とが、モル比で、１：３〜２：１であることを特徴とする。
【００１５】
請求項４に記載の不斉合成方法は、光学活性脂環式ジアミン誘導体と、脂肪族カルボン酸及び芳香族カルボン酸から選ばれるカルボン酸誘導体とを含有する触媒の存在下で、電子吸引基共役-α,β位-不飽和化合物のβ位に、活性メチレン基含有化合物又は活性メチン基含有化合物の活性基を、マイケル反応させて、そこに不斉誘導して、光学活性マイケル反応付加化合物にすることを特徴とする。
【００１６】
請求項５に記載の不斉合成方法は、請求項４に記載されたもので、前記電子吸引基共役-α,β位-不飽和化合物がα'位-活性水素基含有ケトン化合物であり、前記活性メチレン基含有化合物又は前記活性メチン基含有化合物がカルボニル化合物であり、前記付加化合物を、前記ケトン化合物に由来のα'位-活性水素基と前記カルボニル化合物のカルボニル基との分子内アルドール反応により、環化させて、γ位-不斉シクロヘキセノン化合物にすることを特徴とする。
【発明の効果】
【００１７】
本発明の不斉反応触媒は、安価に入手容易で簡易な構造の低分子有機化合物である光学
活性アミン誘導体とカルボン酸誘導体とを含有したもので、簡易な構造でも優れた不斉誘起能を有するものである。この不斉反応触媒は、不斉マイケル反応やそれに引き続くアルドール環化反応のようなロビンソン環化反応に用いられ、高い立体選択性と位置選択性とを発揮し、さらに高い光学収率と反応収率とを発現できるものである。
【００１８】
この不斉反応触媒は、電子吸引基共役-α,β位-不飽和化合物のβ位に付加する活性メチレン基含有化合物又は活性メチン基含有化合物で新たに形成されるγ位で、所望の絶対配置の不斉を誘起できるものである。特に、ロビンソン環化反応に用いられる場合にはγ位-不斉シクロアルケノン化合物を、選択的に合成することができる。
【００１９】
また、この不斉反応触媒は、有機化合物のみからなり重金属をはじめとする金属を含有していないので、環境に調和でき、環境汚染防止に資する。
【００２０】
本発明の不斉反応触媒を用いた不斉合成方法によれば、高い立体選択性と位置選択性とを発現しつつ、高い光学収率と反応収率とで、光学活性マイケル反応付加物を、生成することができる。さらに、この不斉合成方法によれば、そのマイケル反応付加物を引き続き分子内アルドール反応させるロビンソン環化反応により、γ位に不斉誘起した一置換又は二置換の単環性シクロへキセノン化合物や、シクロヘキサンスピロシクロヘキセノン化合物のようなスピロシクロヘキセノン化合物を、高い光学収率と反応収率とで、生成することができる。
【発明を実施するための形態】
【００２１】
以下、本発明を実施するための好ましい形態について詳細に説明するが、本発明の範囲はこれらの形態に限定されるものではない。
【００２２】
本発明の不斉反応触媒の好ましい形態の一例は、光学活性脂環式ジアミン誘導体であるtrans-１,２-ジアミノシクロアルカン例えば(１Ｓ,２Ｓ)-１,２-ジアミノシクロヘキサンと、カルボン酸誘導体であるtrans-１,２-シクロアルカンジカルボン酸例えば(１Ｓ,２Ｓ)-１,２-シクロヘキサンジカルボン酸とからなるというものである。
【００２３】
本発明の不斉合成方法について、(１Ｓ,２Ｓ)-１,２-ジアミノシクロヘキサン（ジアミン誘導体Ｃ）と(１Ｓ,２Ｓ)-１,２-シクロヘキサンジカルボン酸（カルボン酸誘導体Ｄ）とからなるこの不斉反応触媒存在下、基質として電子吸引基共役-α,β位-不飽和化合物であるアルキルアルケニルケトン例えばメチルビニルケトンと、活性メチン基含有化合物であるα置換アルキルアルデヒド例えば２-フェニルプロピオンアルデヒドとを反応させる態様を、下記化学反応式（３）を参照しながら説明する。
【００２４】
【化３】
0005392614.tif 000004
【００２５】
２-フェニルプロピオンアルデヒドがメチルビニルケトンに不斉マイケル反応し、次いで分子内アルドール環化反応を起こすと、光学活性な（Ｒ）-４-メチル-４-フェニル-２-シクロヘキセノンが得られる。
【００２６】
この反応で不斉が誘起されるメカニズムの詳細は必ずしも明らかでないが、(１Ｓ,２Ｓ)-１,２-ジアミノシクロヘキサンが、基質とエナミンを形成して、その遷移状態下で立体
を制御し、マイケル反応、引き続く分子内アルドール反応を引き起こし、不斉を誘起しているものと、推察される。
【００２７】
この不斉反応触媒は、光学活性脂環式ジアミン誘導体とカルボン酸誘導体とを含有するものであるが、それらジアミン誘導体とカルボン酸誘導体とのみからなると一層好ましい。絶対配置が逆であるエナンチオマーからなる不斉反応触媒を用いれば、絶対配置が逆の生成物が、同様に得られる。
【００２８】
光学活性脂環式ジアミン誘導体として、trans-１,２-ジアミノシクロアルカン、より具体的には(１Ｓ,２Ｓ)-１,２-ジアミノシクロヘキサンの他、(１Ｒ,２Ｒ)-１,２-ジアミノシクロヘキサン、及びそれらがアルキル置換、アルコキシ置換、ハロゲノ置換、シアノ置換、アリール置換、又はアラルキル置換された置換体が挙げられる。
【００２９】
カルボン酸誘導体として、例えば鎖状脂肪族モノカルボン酸；シクロヘキサンカルボン酸のような環状脂肪族モノカルボン酸；グルタル酸、ｄ-,ｌ-若しくはｄｌ-酒石酸、又はｄ-,ｌ-若しくはｄｌ-ジアシル酒石酸のような鎖状アルキルジカルボン酸で例示される鎖状脂肪族ポリカルボン酸；(１Ｒ,２Ｒ)-若しくは(１Ｓ,２Ｓ)-１,２-シクロヘキサンジカルボン酸、ｄｌ-１,２-シクロヘキサンジカルボン酸又はメソ-１,２-シクロヘキサンジカルボン酸のような環状アルキルジカルボン酸で例示される環状脂肪族ポリカルボン酸が挙げられる。また、安息香酸のような炭化水素芳香環含有モノカルボン酸；フタル酸のようなベンゼンジカルボン酸、４,４'-ビフェニルジカルボン酸のようなビフェニルジカルボン酸で例示される炭化水素芳香環含有ポリカルボン酸が挙げられる。
【００３０】
この不斉反応触媒は、不斉反応による目的化合物の種類やそれのγ位での所望の絶対配置に応じ、光学活性脂環式ジアミン誘導体とカルボン酸誘導体との組み合わせを、適宜選択して用いられる。
【００３１】
この不斉反応触媒は、この光学活性脂環式ジアミン誘導体及びカルボン酸誘導体を、好ましくは１：３〜２：１のモル比で、夫々基質に対して最大で３０ｍｏｌ％好ましくは１０〜３０ｍｏｌ％として用いられ、予め混合されていてもよく、用時、調製するものであってもよい。
【００３２】
不斉合成反応方法として、マイケル反応に引き続く分子内アルドール反応によりロビンソン環化反応が起こった例を示したが、マイケル反応だけが起こるものであってもよい。
【００３３】
電子吸引基共役-α,β位-不飽和化合物として、メチルビニルケトンの例を示したが、エチルビニルケトンのような別なアルキルビニルケトン類、アクリル酸エステル類、ケイ皮酸エステル類、アクリル酸アミド類、β-ニトロスチレン類、アクリロニトリル類、アクロレイン類、ケイ皮アルデヒド類、塩化ビニル類であってもよい。これらは、アルキル基、ハロゲン基、水酸基、メルカプト基、アルキルオキシ基、アルキルチオ基、芳香環基のような置換基を有していてもよい。
【００３４】
活性メチン基含有化合物として２-フェニルプロピオンアルデヒドの例を示したが、２-フェニルブチルアルデヒド、２-ビフェニルプロピオンアルデヒド、２-ナフチルプロピオンアルデヒド、１,２,３,４-テトラヒドロ-１-ナフチルアルデヒドのようなアリール基含有脂肪族アルデヒド類であってもよい。これらは、前記と同様な置換基を有していてもよい。このような活性メチン基含有化合物と電子吸引基共役-α,β位-不飽和化合物とのロビンソン環化反応により、γ位で不斉であって二置換の光学活性４,４-二置換シクロヘキセノン化合物や、γ位で不斉であって光学活性４,４-スピロシクロヘキセノン化合物が得られる。
【００３５】
活性メチン基含有化合物に代えて、活性メチレン基含有化合物、例えば２-フェニルアセトアルデヒドのようなアリールアセトアルデヒド類を用いてもよく、これが前記と同様な置換基を有していてもよい。このような活性メチレン基含有化合物と電子吸引基共役-α,β位-不飽和化合物とのロビンソン環化反応により、γ位で不斉であって二置換の光学活性４-置換シクロヘキセノン化合物が得られる。
【００３６】
不斉合成反応方法は、適宜、水溶性有機溶媒や水不溶性有機溶媒や水中で、０℃〜常温で行ってもよく、加熱下で行ってもよい。
【００３７】
このような不斉反応触媒を用いた不斉合成方法により得られた不斉化合物は、生理活性物質、医薬品、化成品、ファインケミカルや、それらの中間体となるものである。
【実施例】
【００３８】
以下に、本発明を適用する不斉反応触媒を用いた不斉合成方法の実施例と、本発明を適用外の比較例とを、示す。
【００３９】
（実施例１）
(１Ｓ,２Ｓ)-１,２-ジアミノシクロヘキサンの３３ｍｇ(０．３ｍｍｏｌ)と(１Ｓ,２Ｓ)-１,２-シクロヘキサンジカルボン酸の５２ｍｇ(０．３ｍｍｏｌ)とを、イソプロピルアルコール(ｉ-ＰｒＯＨ)の１．０ｍＬに溶かし、そこへ２-フェニルプロピオンアルデヒドの１３４ｍｇ(１ｍｍｏｌ)とメチルビニルケトンの１０５ｍｇ(１．５ｍｍｏｌ)を加えた。その混合物を０℃で８時間撹拌した後、テトラヒドロフラン(ＴＨＦ)：ジエチルエーテル(Ｅｔ２Ｏ)：Ｈ２Ｏ（１：３：３）の混合液を４．２ｍＬ加え、さらに５ｍｏｌ％テトラｎ-ブチルアンモニウムヒドロキシド(０．５ｍＬ)と０．１Ｎ−ＫＯＨ水溶液(約１０ｍＬ)とを加えた。反応混合物を６０℃で約３０分間、撹拌した後、クロロホルムで抽出を行った。抽出液を飽和食塩水で洗浄し、無水硫酸ナトリウムで乾燥後、濃縮し、残渣をシリカゲルカラムクロマトグラフィー(展開溶媒：クロロホルム)により精製を行い、目的生成物である（Ｒ）-４-メチル-４-フェニル-２-シクロへキセノンを無色油状物として、９２ｍｇ（収率：４９％）を得た（前記化学反応式（３）及び下記表１を参照）。
【００４０】
この生成物について、薄層クロマトグラフィー(ＴＬＣ)、比旋光度、ChiralpakAD(ダイセル化学工業株式会社製；商品名)を用いたキラル高速液体クロマトグラフィー分析(chiralＨＰＬＣ)による光学純度測定、フーリエ変換赤外吸収スペクトル法(ＦＴ-ＩＲ)、１Ｈ及び１３Ｃ核磁気共鳴スペクトル法（ＮＭＲ）の理化学分析データは、以下の通りである。
【００４１】
TLC;  Rf  0.43  (CHCl3)
[α]25D  +116.1  (c  0.84,  EtOH)  (光学純度：96%ee)
FTIR  (KBr)  ν  1662,  1497,  1445,  1388cm-1.
1H  NMR  (400MHz,  CDCl3)  δ  1.56(3H,  s),  2.14(1H,  m),  2.22-2.32(2H,  m),
2.40(1H,  m),  6.13(1H,  d,  J=10.2Hz),  6.94(1H,  d,  J=10.2Hz),  7.23-7.35(5H,  m).
13C  NMR  (100MHz,  CDCl3)  δ  27.51,  34.53,  38.01,  40.49,  126.07(×2),  126.68,  128.46,  128.53(×2),  145.16,  157.01,  199.34.
なお、ここで得られた光学活性な４-メチル-４-フェニル-２-シクロへキセノンがＲの絶対配置を有することは、その比旋光度の値を文献値［(Ｒ)-体：[a]20D  +122.2(EtOH)
(99.8%ee);  A.I.Meyers（エー.アイ.マイヤーズ）ら、The  Journal  of  Organic  Chemistry（ザ  ジャーナル  オブ  オーガニック  ケミストリー）、1986年、第51巻、p.1936-1938］と比較することにより決定した。
【００４２】
この理化学分析データは、この生成物が(Ｒ)-４-メチル-４-フェニル-２-シクロへキセノンであることを支持する。
【００４３】
（実施例２〜１２、及び比較例１）
実施例１の不斉反応触媒につき、表１のように、実施例１の触媒とは逆の絶対配置を有する光学活性脂環式ジアミン誘導体（ジアミン誘導体Ｅ）の量を一定としカルボン酸誘導体の種類及び量を変更したこと以外は、実施例１と同様にして、生成物を得た。その結果を纏めて、表１に示す。
【００４４】
【表１】
0005392614.tif 000005
【００４５】
表１から明らかな通り、不斉反応触媒は、実施例１のように、光学活性脂環式ジアミン誘導体として(１Ｓ,２Ｓ)-１,２-ジアミノシクロヘキサン（ジアミン誘導体Ｃ）と、カルボン酸誘導体として(１Ｓ,２Ｓ)-１,２-シクロヘキサンジカルボン酸（カルボン酸誘導体Ｄ）とを３０ｍｏｌ％ずつ用いたときに、９６％ｅｅという最も高い光学収率が得られ、最適であった。実施例２〜９、１１〜１２のように、光学活性脂環式ジアミン誘導体としてエナンチオマーである(１Ｒ,２Ｒ)-１,２-ジアミノシクロヘキサン（ジアミン誘導体Ｅ）と各種カルボン酸誘導体とを用いた場合、その触媒の量が比較的少なくても、概ね良好な光学収率を示した。しかし、実施例９〜１０のようにカルボン酸誘導体として酒石酸を用いたときに、それのキラリティが生成物のエナンチオ選択性に大きく影響を及ぼすことが分かった。一方、比較例１のようにカルボン酸誘導体を用いなかったときに、低い光学収率しか示さなかった。
【００４６】
次に、本発明の不斉反応触媒と比較するために、それの光学活性脂環式ジアミン誘導体に代えて非脂環式ジアミン誘導体を用いて、反応を行った。
【００４７】
（比較例２〜１７）
実施例１の不斉反応触媒を、表２に記載の光学活性の非脂環式ジアミン誘導体（アミンＦ〜Ｈ）とカルボン酸との種類及び量に変更した触媒を用いたこと以外は、実施例１と同様にして、生成物を得た。その結果を纏めて、表２に示す。
【００４８】
【表２】
0005392614.tif 000006
【００４９】
表２から明らかな通り、本発明を適用外の比較例２〜１７のような触媒を用いた反応では、本発明を適用する実施例１〜１２の不斉反応触媒を用いた反応よりも、光学収率が遥かに劣る。とりわけ比較例１２〜１６の通りＬ-リシン(L-Lys)、Ｌ-オルニチン(L-Orn)、Ｌ-アルギニン(L-Arg)のような天然アミノ酸を触媒に用いた反応では、光学収率がさほど高くない。さらに比較例１７の通りＬ-プロリン(L-Pro)では、全く反応が進行しなかった。
【００５０】
次に、不斉反応触媒として、光学活性脂環式ジアミン誘導体である(１Ｓ,２Ｓ)-１,２-ジアミノシクロヘキサン（ジアミン誘導体Ｃ）とカルボン酸誘導体である(１Ｓ,２Ｓ)-１,２-シクロヘキサンジカルボン酸（カルボン酸誘導体Ｄ）とを、夫々３０ｍｏｌ％ずつ用い、一方の基質である電子吸引基共役-α,β位-不飽和化合物としてメチルビニルケトン又はエチルビニルケトンを用い、他方の基質である活性メチン基含有化合物として各種アルデヒドを用いて、その反応性を、実施例１３〜２３で検討した。
【００５１】
（実施例１３）
(１Ｓ,２Ｓ)-１,２-ジアミノシクロヘキサンの６８４ｍｇ（６．０ｍｍｏｌ）と(１Ｓ,２Ｓ)-１,２-シクロヘキサンジカルボン酸の１０２５ｍｇ（６．０ｍｍｏｌ）とを、ｉ-ＰｒＯＨの２０ｍＬに溶かし、そこへ２-(４-メトキシフェニル)プロピオンアルデヒドの３．２６ｇ（１９．９ｍｍｏｌ）とメチルビニルケトンの２．４３ｍＬ（２４．８ｍｍｏｌ）とを加えた。その混合物を０℃で１２時間撹拌した後、ＴＨＦ／Ｅｔ２Ｏ／Ｈ２Ｏ（１：３：３）の混合液を８４ｍＬ加え、さらに５ｍｏｌ％テトラ-ｎ-ブチルアンモニウムヒドロキシド（１２ｍＬ）と０．１Ｎ−ＫＯＨ水溶液（約５０ｍＬ）とを加えた。反応混合物を６０℃で１時間、撹拌した後、クロロホルムで抽出を行った。抽出液を飽和食塩水
で洗浄し、無水硫酸ナトリウムで乾燥後、濃縮し、残渣をシリカゲルカラムクロマトグラフィー（溶出液  ヘキサン：酢酸エチル＝３：１）により精製を行い、下記化学反応式（４）のように、目的生成物である(Ｒ)-(+)-４-メチル-４-(４-メトキシフェニル)-４-シクロへキセノンを、白色固体として、２．６８ｇ（収率６２％）を得た。
【００５２】
【化４】
0005392614.tif 000007
【００５３】
この生成物について、薄層クロマトグラフィー(ＴＬＣ)、比旋光度、ChiralpakAD(ダイセル化学工業株式会社製；商品名)を用いたキラル高速液体クロマトグラフィー分析(chiralＨＰＬＣ)による光学純度測定、フーリエ変換赤外吸収スペクトル法(ＦＴ-ＩＲ)、１Ｈ及び１３Ｃ核磁気共鳴スペクトル法（ＮＭＲ）の理化学分析データは、以下の通りである。
【００５４】
融点；４９〜５２℃
TLC；  Rf  0.53  (展開溶媒  ヘキサン：酢酸エチル＝3:1).
[α]26D  +135.6(c  1.0,  EtOH)  (光学純度：91%ee)
FTIR  (KBr)  ν  1679,  1608,  1577,  1513cm-1.
1H  NMR  (400MHz,  CDCl3)  δ  1.54(3H,  s),  2.08-2.43(4H,  m),  3.80(3H,  s),
6.10(1H,  d,  J=10.2Hz),  6.91(1H,  d,  J=10.2Hz),  6.86-6.92(2H,  m),  7.23-7.27(2H,  m).
13C  NMR  (100MHz,  CDCl3)  δ  27.69,  34.56,  38.10,  39.90,  55.21,  113.85(×2),  127.17(×2),  128.30,  137.10,  157.32,  158.23,  199.47.
なお、ここで得られた光学活性な４-メチル-４-(４-メトキシフェニル)-４-シクロへキセノンがＲの絶対配置を有することは、その比旋光度の値を文献値［(Ｒ)-過剰体：[α]20D  +69.5(c  1.134,  EtOH)］;  T.Sone（ティー.ソネ）ら、Chemical  &  Pharmaceutical  Bulletin（ケミカル  アンド  ファーマシューティカル  ブレティン）、1976年、第24巻、p.1273-1287］と比較することにより決定した。
【００５５】
この理化学分析データは、この生成物が(Ｒ)-(+)-４-メチル-４-(４-メトキシフェニル)-４-シクロへキセノンであることを支持する。
【００５６】
この生成物は、生理活性天然物である(Ｓ)-(+)-Sporochnolの全合成などの中間体として用いられるものである。
【００５７】
（実施例１４〜２３）
実施例１３の基質につき、表３に記載のように電子吸引基共役-α,β位-不飽和化合物としてメチルビニルケトン又はエチルビニルケトンを用い、また活性メチン基含有化合物としてα-フェニルアセトアルデヒド類又はα-ナフチルアセトアルデヒド類のような各種アルデヒドを用いたこと以外は、実施例１３と同様にして、生成物を得た。その結果を纏めて、表３に示す。
【００５８】
【表３】
0005392614.tif 000008
【００５９】
表３から明らかな通り、電子吸引基共役-α,β位-不飽和化合物と、活性メチレン基含有化合物や活性メチン基含有化合物との種類に関わらず、高い立体選択性と位置選択性とを発現しつつ、最大で９７％ｅｅという高い光学収率で、エナンチオ選択的に、所望の目的物を、高収率で得ることができた。
【００６０】
不斉反応触媒を用いて、不斉マイケル反応とその反応中間体を単離することなくそれに引き続く分子内アルドール反応による不斉ロビンソン環化反応を行った実施例を示したが、不斉マイケル反応による反応中間体を単離した例を、実施例２４に示す。
【００６１】
（実施例２４）
２-(ナフト-２-イル)プロピオンアルデヒドの１８４ｍｇ（１．０ｍｍｏｌ）と、エチルビニルケトンの８４ｍｇ（１．２ｍｍｏｌ）と、(１Ｓ,２Ｓ)-１,２-ジアミノシクロヘキサン（ジアミン誘導体Ｃ）の３３ｍｇ（０．３ｍｍｏｌ）と(１Ｓ,２Ｓ)-１,２-シクロヘキサンジカルボン酸（カルボン酸誘導体Ｄ）の５２ｍｇ（０．３ｍｍｏｌ）とｉ-ＰｒＯＨの１．０ｍＬとの混合物を、０℃で１２時間撹拌した。反応終了後、混合物の一部をシリカゲルカラムクロマトグラフィー（溶出液  クロロホルム）にて精製すると、対応するマイケル反応付加物である２-メチル-２-(２-ナフチル)-５-オキソヘプタナールが、無色油状物として、１１ｍｇ（１．５％）得られた。
【００６２】
【化５】
0005392614.tif 000009
【００６３】
この生成物について、薄層クロマトグラフィー(ＴＬＣ)、フーリエ変換赤外吸収スペクトル法(ＦＴ-ＩＲ)、１Ｈ及び１３Ｃ核磁気共鳴スペクトル法（ＮＭＲ）の理化学分析データは、以下の通りである。
【００６４】
TLC;  Rf  0.39  (展開溶媒  CHCl3).
FTIR  (neat)  ν  1720,  1632,  1598,  1506,  1459cm-1.
1H  NMR  (400MHz,  CDCl3)  δ  0.98(3H,  t,  J=7.3Hz),  1.55(3H,  s),  2.17-2.43(6H,  m),  7.35(1H,  dd,  J=8.5,  1.8Hz),  7.47-7.53(2H,  m),  7.70(1H,  d,  J=1.8Hz),  7.81-7.85(2H,  m),  7.86(1H,  d,  J=8.8Hz),  9.58(1H,  s).
13C  NMR  (100MHz,  CDCl3)  δ  7.72,  19.06,  29.42,  35.91,  37.07,  53.39,  124.73,  126.21,  126.36,  126.46,  127.51,  127.97,  128.79,  132.41,  133.34,  136.61,  201.76,  201.78.
【００６５】
この理化学分析データは、この生成物が２-メチル-２-(２-ナフチル)-５-オキソヘプタナールであることを支持する。なお、このマイケル反応付加物は、実施例２３で得られたロビンソン環化反応の最終生成物の中間体であるから、エナンチオ選択性は、実施例２３と同様に少なくとも８４％ｅｅ以上であると推察される。
【産業上の利用可能性】
【００６６】
本発明の不斉反応触媒を用いた不斉合成方法によれば、不斉マイケル反応を経て、さらに分子内アルドール反応による所謂不斉ロビンソン環化反応により、４位に４級不斉炭素を有する種々のシクロへキセノン誘導体を合成することができる。このような不斉マイケル反応で得られる反応中間体やそれに引き続く不斉ロビンソン環化反応で得られる生成物は、各種医薬品・生理活性物質やキラル液晶材料などのファインケミカル、又はそれらの中間体として用いられるものであるから、本発明の不斉反応触媒を用いた不斉合成方法は、それらを製造するのに、用いられる。